(57)【要約】【課題】  ＡＳＣＩＩアートのキャラクタを含む趣向を凝らしたメール本文を簡易に作成することができる移動体通信端末を提供する。【解決手段】  ＡＳＣＩＩアートの複数種類のキャラクタのテンプレート及びそのキャラクタが発する言葉が入力される複数種類の吹き出しのテンプレートを記憶する手段と、前記複数種類のキャラクタのテンプレートから選択された少なくとも１つのキャラクタと前記複数種類の吹き出しのテンプレートから選択された少なくとも１つの吹き出しとを組み合わせて、送信対象メールの本文を作成するためのメール本文作成画面に表示する手段と、前記メール本文作成画面に表示されている前記吹き出しの部分に前記キャラクタが発する言葉として入力された文字を挿入する手段とを備える。【選択図】  図４
2008083785.tif 000002
【特許請求の範囲】
【請求項１】
通信ネットワークを介してメールを送信可能な移動体通信端末であって、
送信対象メールの本文に挿入可能な文字コードで指定される文字、記号及び数字の少なくとも一つを用いて表現される、複数種類のキャラクタのテンプレート及びそのキャラクタが発する言葉が入力される複数種類の吹き出しのテンプレートを記憶する手段と、
前記複数種類のキャラクタのテンプレートから選択された少なくとも１つのキャラクタと前記複数種類の吹き出しのテンプレートから選択された少なくとも１つの吹き出しとを組み合わせて、送信対象メールの本文を作成するためのメール本文作成画面に表示する手段と、
前記メール本文作成画面に表示されている前記吹き出しの部分に、前記キャラクタが発する言葉として入力された文字を挿入する手段と、
を備えたことを特徴とする移動体通信端末。
【請求項２】
請求項１の移動体通信端末において、
前記キャラクタのテンプレート又は前記吹き出しのテンプレートを作成するテンプレート作成画面を表示する手段と、
前記テンプレート作成画面に基づいて入力された編集指示に応じて前記キャラクタ又は前記吹き出しを編集する手段と、
前記編集が終了した前記キャラクタ又は前記吹き出しを、前記テンプレートを記憶する手段に追加保存する手段と、
を更に備えたことを特徴とする移動体通信端末。
【請求項３】
請求項２の移動体通信端末において、
パレット表示指示に基づいて、前記キャラクタ又は前記吹き出しの構成要素としての使用頻度が高い記号が一覧表示される記号パレットを表示する手段と、
前記記号パレットから選択された記号を前記テンプレート作成画面の所定箇所に上書きモードで追加する手段と、
を更に備えたことを特徴とする移動体通信端末。
【請求項４】
請求項１の移動体通信端末において、
前記キャラクタのテンプレート又は前記吹き出しのテンプレートを通信ネットワークを介してサーバから受信する手段と、
前記サーバから受信した前記キャラクタ又は前記吹き出しを、前記テンプレートを記憶する手段に追加保存する手段と、
を更に備えたことを特徴とする移動体通信端末。
【発明の詳細な説明】
【技術分野】
【０００１】
本発明は、携帯電話機等の移動体通信端末に関するものである。
【背景技術】
【０００２】
従来、この種の移動体通信端末として、携帯電話通信網を介して、他の携帯電話機やパソコンなどの通信端末にメールを送信したり、他の携帯電話機やパソコンなどの通信端末からメールを受信したりすることができる携帯電話機が知られている。また、携帯電話機で送受信されるメール本文には「ＡＳＣＩＩアート」と呼ばれるものが使用される場合がある。この「ＡＳＣＩＩアート」は、ＡＳＣＩＩ文字コードで指定される文字、数字、記号等を使ってキャラクタ等を表現したものである。「ＡＳＣＩＩアート」は文字コードを使用して表現されるため、メール本文に簡単に入力でき、メールのデータサイズも小さく抑えることができる。
【発明の開示】
【発明が解決しようとする課題】
【０００３】
しかしながら、上記「ＡＳＣＩＩアート」を使って表現されたキャラクタを含むメール本文を作成するには時間がかかってしまい、簡易に作成することができないという問題あった。予め作成された複数種類の「ＡＳＣＩＩアート」からなるキャラクタのテンプレートを使用することも考えられるが、そのテンプレートのキャラクタの種類は限られたものであり、またテンプレートのキャラクタに修正を加えてユーザ独自の趣向を凝らしたものに仕上げようとすると、やはり時間がかかってしまう。
【０００４】
本発明の目的は、文字コードで指定される文字、記号及び数字の少なくとも一つを用いて表現されるキャラクタを含む趣向を凝らしたメール本文を簡易に作成することができる移動体通信端末を提供することである。
【課題を解決するための手段】
【０００５】
本発明に係る移動体通信端末は、通信ネットワークを介してメールを送信可能な移動体通信端末であって、送信対象メールの本文に挿入可能な文字コードで指定される文字、記号及び数字の少なくとも一つを用いて表現される、複数種類のキャラクタのテンプレート及びそのキャラクタが発する言葉が入力される複数種類の吹き出しのテンプレートを記憶する手段と、前記複数種類のキャラクタのテンプレートから選択された少なくとも１つのキャラクタと前記複数種類の吹き出しのテンプレートから選択された少なくとも１つの吹き出しとを組み合わせて、送信対象メールの本文を作成するためのメール本文作成画面に表示する手段と、前記メール本文作成画面に表示されている前記吹き出しの部分に、前記キャラクタが発する言葉として入力された文字を挿入する手段とを備える。
この移動体通信端末では、予め作成されて記憶されている複数種類のキャラクタのテンプレート及び複数種類の吹き出しのテンプレートから、少なくとも１つのキャラクタと少なくとも１つの吹き出しとを選択することができる。この選択されたキャラクタと吹き出しが組み合わせられてメール本文作成画面に表示される。そして、メール本文作成画面に表示されているキャラクタが発する言葉が文字で入力されると、その入力された文字が前記吹き出しの部分に挿入される。このように、前記キャラクタ及びその吹き出しのテンプレートの選択及びキャラクタの発する言葉の入力という簡易な操作で、ユーザが指定した言葉を発しているキャラクタを含む趣向を凝らしたメール本文を作成することができる。
【０００６】
前記移動体通信端末において、前記キャラクタのテンプレート又は前記吹き出しのテンプレートを作成するテンプレート作成画面を表示する手段と、前記テンプレート作成画面に基づいて入力された編集指示に応じて前記キャラクタ又は前記吹き出しを編集する手段と、前記編集が終了した前記キャラクタ又は前記吹き出しを、前記テンプレートを記憶する手段に追加保存する手段とを更に備えてもよい。この場合は、ユーザが独自に作成したキャラクタ又は吹き出しをテンプレートとして追加していくことができる。
また、前記移動体通信端末において、パレット表示指示に基づいて、前記キャラクタ又は前記吹き出しの構成要素としての使用頻度が高い記号が一覧表示される記号パレットを表示する手段と、前記記号パレットから選択された記号を前記テンプレート作成画面の所定箇所に上書きモードで追加する手段とを更に備えてもよい。この場合は、前記キャラクタ又は前記吹き出しの構成要素としての使用頻度が高い記号パレットから記号を選択してキャラクタ又は吹き出しのテンプレートを作成できるので、テンプレートの作成効率を高くなる。
また、前記移動体通信端末において、前記キャラクタのテンプレート又は前記吹き出しのテンプレートを通信ネットワークを介してサーバから受信する手段と、前記サーバから受信した前記キャラクタ又は前記吹き出しを、前記テンプレートを記憶する手段に追加保存する手段とを更に備えてもよい。この場合は、サーバからダウンロードしたキャラクタや吹き出しのテンプレートを使用できるので、キャラクタ及び吹き出しのテンプレートをユーザが独自に作成して追加していく場合に比して、テンプレートの種類を容易に増やすことができる。
【０００７】
なお、本願明細書中で使用される「キャラクタ」という用語は、実在又は架空の人物、動物、生物などを表現したものであって外観、表情、向き、色などの表現形態が互いに異なるものを意味する。例えば、同じ人物を表現するものであっても表情が異なれば別のキャラクタとして扱われる。
【発明の効果】
【０００８】
本発明によれば、文字コードで指定される文字、記号及び数字の少なくとも一つを用いて表現されるキャラクタ及び吹き出しのテンプレートを選択し、そのキャラクタが発する言葉を文字で入力することにより、ユーザが指定した言葉を発しているキャラクタを含む趣向を凝らしたメール本文を簡易に作成することができる。
【発明を実施するための最良の形態】
【０００９】
以下、本発明を移動体通信端末としての携帯電話機に適用した実施形態について説明する。
図１は本実施形態に係る携帯電話機を用いたメール送受信の通信システムの一例を示す概略構成図である。この通信システムは、複数の携帯電話機１０と、移動体通信事業者によって管理されている移動体通信ネットワークとしての携帯電話通信網２０とを備えている。携帯電話通信網２０は、基地局２０１や図示しない交換機（回線交換機、パケット交換機）等を備え、図示しないゲートウェイサーバを介してインターネット３０や他の移動体通信事業者による携帯電話通信網４０に接続されている。また、携帯電話通信網２０及び携帯電話通信網４０には、電子メール、マルチメディア・メッセージング・サービス（Multimedia Messaging Service）、ショート・メッセージ・サービス（ＳＭＳ）等の携帯電話用のメールを処理する各種メールサーバ２１、４１が接続され、インターネット３０には、電子メールを処理するメールサーバ３１が接続されている。これらのメールサーバ２１，３１，４１を介して、携帯電話機１０は、各種通信端末との間で、電子メールやＳＭＳメールを送受信することができる。例えば、利用者Ａの携帯電話機１０Ａは、同一の移動体通信事業者と契約している携帯電話機との間で携帯電話通信網２０を介してメール送受信したり、他の移動体通信事業者と契約している携帯電話機との間で携帯電話通信網４０を介してメールを送受信したりすることができる。また、利用者Ａの携帯電話機１０Ａは、インターネット３０を介してパーソナルコンピュータとの間でメール送受信することもできる。
【００１０】
また、上記携帯電話通信網２０又はインターネット３０には、メール本文に使用可能な後述のキャラクタや吹き出しのＡＳＣＩＩアートのテンプレートを提供するコンテンツサーバ２５が設けられている。
【００１１】
図２は本発明の実施形態に係る携帯電話機の概略構成の一例を示すブロック図である。図３は同携帯電話機の外観構成の一例を示す正面図である。本実施形態の携帯電話機１０は、制御手段としての主制御部１２０と、記憶手段としての内部メモリ１２１と、携帯電話通信網２０を介して通信を行う通信手段としての無線通信部１２２及びアンテナ１１２と、表示手段としての表示部１２５と、操作手段としてのキー操作部１２６とを備えている。
【００１２】
上記主制御部１２０は、例えばＣＰＵ、キャッシュメモリ、ＲＯＭ、システムバス等で構成され、所定の制御プログラムを実行することにより、内部メモリ１２１や無線通信部１２２等の各部との間でデータの送受信を行ったり、各部を制御したりする。この主制御部１２０には、音信号処理部１２３を介して音入力手段としてのマイク１０８及び音出力手段としてのスピーカ１０９が接続されている。また、主制御部１２０には、表示制御手段としての表示制御部１２４を介して表示部１２５が接続されている。更に、主制御部１２０には、各種処理を指示したり各種データを入力したりするときに利用者によって操作されるキー操作部１２６も接続されている。
【００１３】
また、上記主制御部１２０は、表示部１２５のメール本文作成画面（図４参照）に表示されている吹き出しの部分に、キャラクタが発する言葉として入力された文字を挿入する手段として機能する。また、主制御部１２０は、テンプレート作成画面に基づいて、キー操作部１２６から入力された編集指示に応じてキャラクタ又は吹き出しを編集する手段としても機能する。また、前記編集が終了したキャラクタ又は吹き出しを内部メモリ１２１のテンプレート記憶領域に追加保存する手段や、コンテンツサーバ２５から受信したキャラクタ又は吹き出しのデータを、内部メモリ１２１のテンプレート記憶領域に追加保存する手段としても機能する。
【００１４】
上記通信手段としての無線通信部１２２及びアンテナ１１２は、携帯電話通信網２０を介して、前記キャラクタのテンプレート又は前記吹き出しのテンプレートをコンテンツサーバ２５から受信する手段としても機能する。
【００１５】
上記内部メモリ１２１は、例えばＲＡＭやＲＯＭなどの半導体メモリで構成され、主制御部１２０で実行する制御プログラムや各種データを記憶するものである。なお、これらの記憶手段としては、上記内部メモリ１２１ではなく、携帯電話機本体に着脱可能なメモリーカード、ＩＣカード等の記憶媒体を用いてもよい。
【００１６】
また、上記内部メモリ１２１は、送信対象メールの本文に挿入可能な文字コードで指定される文字、記号及び数字の少なくとも一つを用いて表現されるＡＳＣＩＩアートのテンプレートを記憶する手段としても機能する。このＡＳＣＩＩアートのテンプレートは、複数種類のキャラクタのテンプレートと、そのキャラクタが発する言葉が入力される複数種類の吹き出しのテンプレートとを含む。
【００１７】
上記表示制御部１２４は、主制御部１２０から送られてきた描画データに基づいて表示部１２５に画像を表示するように制御する。表示部１２５は、液晶パネル等からなるディスプレイ１１０を用いて構成され、内部メモリ１２１に保存されている画像データ等に基づいて各種画像が表示される。
【００１８】
また、上記表示制御部１２４及び表示部１２５は、主制御部１２０と協働することにより、複数種類のキャラクタのテンプレートから選択された少なくとも１つのキャラクタと、複数種類の吹き出しのテンプレートから選択された少なくとも１つの吹き出しとを組み合わせ、送信対象メールの本文を作成するためのメール本文作成画面に表示する手段としても機能する。
【００１９】
また、表示制御部１２４及び表示部１２５は、主制御部１２０と協働することにより、キャラクタのテンプレート又は吹き出しのテンプレートを作成するテンプレート作成画面を表示する手段としても機能する。また、表示制御部１２４及び表示部１２５は、主制御部１２０と協働することにより、キー操作部１２６から入力されたパレット表示指示に基づいて、キャラクタ又は吹き出しの構成要素としての使用頻度が高い記号が一覧表示される記号パレットを表示する手段や、記号パレットから選択された記号をテンプレート作成画面の所定箇所に上書きモードで追加する手段としても機能する。
【００２０】
上記スピーカ１０９は、音信号処理部１２３でデジタル信号から変換されたアナログ信号が入力され、通話中の音声を出力したり、メールの着信音、電話の呼び出し音、音楽などを出力したりする。このスピーカ１０９及び音信号処理部１２３からなる音発生手段は、受信したメールに添付された添付ファイルを用いて効果音や音楽（楽曲、メロディ）を再生して出力するように、主制御部１２０で制御することができる。
【００２１】
なお、上記スピーカ１０９は、図３に示すように通話中の音声を聞くための受話器用スピーカ（レシーバ）１０９ａと、着信音や音楽などを出力する外部出力用スピーカ１０９ｂとを別々に設けて構成してもいいし、これらの受話器用スピーカ及び外部出力用スピーカを兼用するように一つのスピーカで構成してもよい。
【００２２】
上記キー操作部１２６は、データ入力キー（テンキー、＊キー、＃キー）１０３、通話開始キー１０４、終話キー１０５、スクロールキー１０６、多機能キー１０７等で構成され、利用者が通話開始、終話、メニュー選択、表示モードの切り換え等を指示したり情報を入力したりするときに用いられる。
【００２３】
上記キー操作部１２６は、ユーザによって操作されることにより、複数種類のキャラクタのテンプレートから少なくとも１つのキャラクタを選択する手段や、複数種類の吹き出しのテンプレートから少なくとも１つの吹き出しを選択する手段としても機能する。キー操作部１２６は、ユーザによって操作されることにより、テンプレート作成画面上のキャラクタ又は吹き出しを編集する編集指示を入力する手段や、記号パレットを選択したり記号パレットから記号を選択したりする手段としても機能する。
【００２４】
上記マイク１０８は、利用者の音声を電気信号（アナログ信号）に変換する。マイク１０８から出力される音声の電気信号（アナログ信号）は、音信号処理部１２３に入力され、デジタル信号に変換される。
【００２５】
図４は、上記構成の携帯電話機１０においてＡＳＣＩＩアートのテンプレートを用いたメール本文の作成手順の一例を示すフローチャートである。図５は、そのメール本文作成時の画面遷移の一例を示す説明図である。ＡＳＣＩＩアートのメール本文を作成するときは、メール本文作成画面が表示された状態で携帯電話機１０を操作し、ＡＳＣＩＩアートを挿入したい位置にカーソルを移動させる（Ｓ１）。次に、図５の新規メール作成のメニュー画面９０１で、ＡＳＣＩＩアートテンプレートを選択する（Ｓ２）。次に、図５のキャラクタ選択画面９０２でＡＳＣＩＩアートのキャラクタ一覧から希望のキャラクタを選択する（Ｓ３）。次に、図５のキャラクタ選択画面９０３でＡＳＣＩＩアートの吹き出し一覧から希望の吹き出しを選択する（Ｓ４）。そして、図５の画面９０４に示すように、上記選択したキャラクタが発する言葉として上記選択した吹き出しに挿入する文字を入力する（Ｓ５）。この文字入力が完了すると、図５の画面９０５に示すように、上記選択したキャラクタ及び吹き出し並びに上記入力した言葉が組み合わされたＡＳＣＩＩアートのプレビュー画面が表示される（Ｓ６）。ユーザがプレビュー画面で確認して「決定」を選択すると、図５の画面９０６に示すように、新規メール本文に挿入するＡＳＣＩＩアートが完成する（Ｓ７）。
【００２６】
以上、本実施形態によれば、文字コードで指定される文字、記号及び数字の少なくとも一つを用いて表現されるＡＳＣＩＩアートのキャラクタ及び吹き出しのテンプレートを選択し、そのキャラクタが発する言葉を文字で入力することにより、ユーザが指定した言葉を発しているキャラクタを含む趣向を凝らしたＡＳＣＩＩアートのメール本文を簡易に作成することができる。
【００２７】
なお、上記実施形態において、文字入力や記号パレットからの記号選択により、ＡＳＣＩＩアートのキャラクタ及び吹き出しのテンプレートを作成することができるテンプレート編集モードを有してもよい。このテンプレート編集モードでは上書き入力がデフォルト入力モードとなり、文字のずれを考慮することなく入力できる。また、上書き入力から、通常の文字入力に変更できるようにしてもよい。また、作成済みのＡＳＣＩＩアートテンプレートから引用できるようにしてもよい。
【００２８】
以上、本発明の好ましい実施形態を説明したが、本発明の範囲又は趣旨から逸脱することなく、特許請求の範囲に記載された技術的事項の範囲内において、開示した実施形態に種々の変更を加えることができる。
【００２９】
例えば、本発明は、携帯電話機に限定することなく、メール送受信可能な様々な移動体通信端末に適用することができる。すなわち、本発明における「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「移動体通信端末」としては、上記電話機のほか、通話機能を有するＰＤＡ（Personal Digital Assistance）等の通信端末も挙げられる。
【００３０】
また、上記移動体通信端末における制御及び処理は、その移動通信端末に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【図面の簡単な説明】
【００３１】
【図１】本発明の実施形態に係る携帯電話機を用いたメール送受信の通信システムの一例を示す概略構成図。
【図２】同携帯電話機の概略構成の一例を示すブロック図。
【図３】同携帯電話機の外観構成の一例を示す正面図。
【図４】ＡＳＣＩＩアートのテンプレートを用いたメール本文の作成手順の一例を示すフローチャート。
【図５】メール本文作成時の画面遷移の一例を示す説明図。
【符号の説明】
【００３２】
１０    携帯電話機
２０，４０    携帯電話通信網
２１，４１    メールサーバ
２５    コンテンツサーバ
３０    インターネット
３１    メールサーバ
１２０    主制御部
１２１    内部メモリ
１２２    無線通信部
１２４    表示制御部
１２５    表示部
【図１】
2008083785.tif 000003
【図２】
2008083785.tif 000004
【図３】
2008083785.tif 000005
【図４】
2008083785.tif 000006
【図５】
2008083785.tif 000007